(57)【要約】      （修正有）【課題】ばねの弾性疲労による導通不良を回避する指紋識別スイッチを提供する。【解決手段】指紋識別スイッチ、は外側ケーシング２と、可動部材３と、上部スリーブ４と、当接部材５と、導電性接着剤６と、ベース７とを備える。まず、可動部材の指紋識別パネル３１により使用者の指紋が検知され、同時に可動部材が押されることにより当接部材が導電性接着剤を圧迫し、導電性接着剤がベースの回路基板７１に接触する。【選択図】図２
0003219569.tif 000002
【実用新案登録請求の範囲】
【請求項１】
複数の嵌め込み溝及び複数の凸部が設置され、内側には複数のリブ部が設置される外側ケーシングと、
外側ケーシングに内設され、指紋識別パネル、複数の嵌め込み溝、及び複数の案内溝が更に設置される可動部材と、
外側ケーシングに覆設され、その中に可動部材が貫設される上部スリーブと、
可動部材の底部に設置される当接部材と、
当接部材の底部に設置される導電性接着剤と、
外側ケーシングの底部に設置され、回路基板が設置されるベースと、を備えることを特徴とする、
指紋識別スイッチ。
【請求項２】
外側ケーシングの複数のリブ部は可動部材の複数の案内溝内に更に嵌設されることを特徴とする請求項１に記載の指紋識別スイッチ。
【請求項３】
指紋識別パネルは導線を更に有すると共に導電性接着剤と互いに接続されることを特徴とする請求項１に記載の指紋識別スイッチ。
【請求項４】
上部スリーブには外側ケーシングの複数の凸部が嵌設されるように複数の嵌め込み溝が更に設けられることを特徴とする請求項１に記載の指紋識別スイッチ。
【請求項５】
当接部材には可動部材の複数の嵌め込み溝内に嵌設される複数のほぞが更に設けられることを特徴とする請求項１に記載の指紋識別スイッチ。
【請求項６】
導電性接着剤には少なくとも１つの導通部材が更に設置されることを特徴とする請求項１に記載の指紋識別スイッチ。
【請求項７】
ベースには複数のほぞ及び接続ポートが更に設けられ、これら前記ほぞは外側ケーシングの複数の嵌め込み溝内に嵌設されることを特徴とする請求項１に記載の指紋識別スイッチ。
【請求項８】
回路基板にはデータ処理モジュールが更に設置されることを特徴とする請求項１に記載の指紋識別スイッチ。
【請求項９】
前記データ処理モジュールは導通の可否の制御のほか、指紋の違いに応じて異なる使用者番号の信号を出力させることを特徴とする請求項８に記載の指紋識別スイッチ。
【考案の詳細な説明】
【技術分野】
【０００１】
本考案は、指紋識別スイッチに関し、更に詳しくは、指紋の識別により制御を行うスイッチ構造に関する。
【背景技術】
【０００２】
従来使用されるスイッチの大部分は最も単純な押圧方式で制御される。しかし、特定の設備や装置では安全性や機密性を考慮して指紋検知スイッチが使用され、使用者の指紋が正確か否かによって制御権限の有無を判断する。
【考案の概要】
【考案が解決しようとする課題】
【０００３】
前述した従来の技術、すなわち従来の常用される指紋検知式スイッチは単一の指紋しか検知できず、複数の使用者が同時に使用することはできなかった。また、検知方式により異なる使用方法を設定することもできなかった。さらに、内部は主にばねにより押圧の目的を達成させているが、ばねは長時間使用すると弾性が疲労し、導通異常を引き起こした。このため、これら前記指紋検知式スイッチには使用者が長年訴えている欠点が存在した。
【０００４】
本考案者は上記の欠点が改善可能と考え、鋭意検討を重ねた結果、合理的設計で上記の課題を効果的に改善する本考案の提案に到った。
【０００５】
本考案はこうした状況に鑑みてなされたものであり、その目的は、指紋識別スイッチの技術を提供することにある。
【課題を解決するための手段】
【０００６】
上記課題を解決するための考案のある態様の指紋識別スイッチは、複数の嵌め込み溝及び複数の凸部が設置され、内側には複数のリブ部が設置される外側ケーシングと、外側ケーシングに内設され、指紋識別パネル、複数の嵌め込み溝、及び複数の案内溝が更に設置される可動部材と、外側ケーシングに覆設され、その中に可動部材が貫設される上部スリーブと、可動部材の底部に設置される当接部材と、当接部材の底部に設置される導電性接着剤と、外側ケーシングの底部に設置され、回路基板が設置されるベースとを備える。
【考案の効果】
【０００７】
本考案によれば、まず、可動部材の指紋識別パネルにより使用者の指紋が検知され、同時に可動部材以が押されることにより当接部材が導電性接着剤を圧迫させることで、導電性接着剤がベースの回路基板に接触させる。こうして制御の目的を達成させる。
【図面の簡単な説明】
【０００８】
【図１】本考案に係る指紋識別スイッチを示す外観斜視図である。
【図２】本考案に係る指紋識別スイッチを示す傾斜の展開図である。
【図３】本考案に係る指紋識別スイッチを示す断面図である。
【図４】本考案に係る指紋識別スイッチの好ましい実施形態を例示する概略図（一）である。
【図５】本考案に係る指紋識別スイッチの好ましい実施形態を例示する概略図（二）である。
【考案を実施するための形態】
【０００９】
以下、本開示の実施形態について図面を用いて説明する。なお、本開示は、下記の実施形態に何ら限定されることはなく、本開示の技術的範囲に属する限り種々の形態を採りうる。
【００１０】
図１は本考案に係る指紋識別スイッチを示す外観斜視図であり、図２は本考案に係る指紋識別スイッチを示す傾斜の展開図であり、図３は本考案に係る指紋識別スイッチを示す断面図であり、図４及び図５は本考案に係る指紋識別スイッチの好ましい実施形態を例示する概略図である。
【００１１】
本考案に係る指紋識別スイッチ１は、複数の嵌め込み溝２１及び複数の凸部２２が設置され、内側には複数のリブ部２３が設けられる外側ケーシング２と、外側ケーシング２に内設され、指紋識別パネル３１、複数の嵌め込み溝３２、及び複数の案内溝３３が更に設置される可動部材３と、外側ケーシング２に覆設され、その中に可動部材３が貫設される上部スリーブ４と、可動部材３の底部に設置される当接部材５と、当接部材５の底部に設置される導電性接着剤６と、外側ケーシング２の底部に設置され、回路基板７１が更に設置されるベース７とを備える。
【００１２】
外側ケーシング２の複数のリブ部２３は可動部材３の複数の案内溝３３内に嵌設される。
【００１３】
指紋識別パネル３１は導線３１１を更に有し、且つ導電性接着剤６に互いに接続される。
【００１４】
上部スリーブ４には外側ケーシング２上の複数の凸部２２が嵌設されるように複数の嵌め込み溝４１が更に設けられる。
【００１５】
当接部材５には可動部材３の複数の嵌め込み溝３２内に嵌設される複数のほぞ５１が更に設けられる。
【００１６】
導電性接着剤６には少なくとも１つの導通部材６１が更に設置される。
【００１７】
ベース７には複数のほぞ７２及び接続ポート７３が更に設置され、これら前記ほぞ７２は外側ケーシング２の複数の嵌め込み溝２１内に嵌設され、接続ポート７３は外界の関連する設備に設置させるために用いられる。
【００１８】
回路基板７１には少なくとも１つの電気的接点７１１及びデータ処理モジュール７１２が更に設置される。
【００１９】
本考案に係る指紋識別スイッチ１の使用時は、主にまず指先を指紋識別パネル３１の表面に置き、同時に可動部材３を下に向けて押すことにより当接部材５が導電性接着剤６、を圧迫し、導電性接着剤６の導通部材６１が回路基板７１の電気的接点７１１に接触することにより指紋識別スイッチ１が制御される。
【００２０】
上述したように、指先を指紋識別パネル３１の表面に置くと、指紋識別パネル３１がまず前記使用者の指紋を検知し、これが回路基板７１のデータ処理モジュール７１２に伝送され、データ処理モジュール７１２により指紋の判断が下され、正確な指紋であればスムーズに導通が成され、不正確な指紋であれば押圧された可動部材３が導通状態を達成させなくなる。
【００２１】
データ処理モジュール７１２内には正確な指紋データが予め保存され、且つ複数組の異なる指紋データも保存される。これにより、同時に複数の使用者が使用可能になる。当然ながら、指紋データを随時変更し、異なる使用人数の権限に調整可能である。
【００２２】
また、データ処理モジュール７１２が設置されることにより、スイッチ構造の導通方式の調整または変更が可能になり、上述の使用者の正確な指紋を検知すると同時に可動部材３が押圧されることにより導通される方式のほか、正確な指紋を検知するのみで可動部材３が押圧されなくとも導通される方式、可動部材３が押圧されるのみで指紋を検知せずとも導通される方式、或いは指紋の検知後に可動部材３が押圧されて最後に確認を行うことで導通される方式等の４種類の使用方式に調整可能である。
【００２３】
データ処理モジュール７１２は導通の有無による制御以外に、指紋の違う異なる使用者の番号に基づいて、異なる使用者の番号の信号を出力させ、指紋識別スイッチ１が異なる使用者に合わせたカスタムサービスを提供する。
【００２４】
以上を総合すると、従来の指紋検知式スイッチに存在する数々の欠点及び不便と比較すれば、本考案に係る指紋識別スイッチ１はデータ処理モジュール７１２の設計により、複数の使用者が同時に使用可能になるほか、異なる使用方式に更に調整することにより異なる使用上の要求や場面に適合させることが可能になる。さらには、導電性接着剤６の設計により、ばねに存在する弾性の疲労という欠点を回避することができる。
【００２５】
以上、本考案の実施形態について図面を参照して詳述したが、具体的な構成はこの実施形態に限られるものではなく、本考案の要旨を逸脱しない範囲の設計変更等も含まれる。
【符号の説明】
【００２６】
１      指紋識別スイッチ
２      外側ケーシング
２１    嵌め込み溝
２２    凸部
２３    リブ部
３      可動部材
３１    指紋識別パネル
３１１  導線
３２    嵌め込み溝
３３    案内溝
４      上部スリーブ
４１    嵌め込み溝
５      当接部材
５１    ほぞ
６      導電性接着剤
６１    導通部材
７      ベース
７１    回路基板
７１１  電気的接点
７１２  データ処理モジュール
７２    ほぞ
７３    接続ポート
【図１】
0003219569.tif 000003
【図２】
0003219569.tif 000004
【図３】
0003219569.tif 000005
【図４】
0003219569.tif 000006
【図５】
0003219569.tif 000007